(57)【要約】      （修正有）【課題】汚物に直接手を触れずに収納することができ、収納後の汚物を外部に露出させずに衛生的に運搬して廃棄することができる汚物収納袋を提供する。【解決手段】汚物収納袋１０は、柔軟性不透水シート材からなる底面部２０と、その上に配設された２枚の蓋部３０，４０とによって構成されている。２枚の蓋部３０，４０の長さは、それぞれ底面部２０の長さの半分の長さよりも長くなるように選ばれており、底面部２０の内側に位置している辺以外の３辺は底面部２０の周縁部に接合されている。使用者は、一方の手Ｈ１の手の平を開いた状態で、その手の平を底面部２０と蓋部３０，４０との間に指し入れる。使用者は手Ｈ１で汚物を底面部２０を介して掴み、他方の手で蓋部４０と蓋部３０とを順次裏返すことにより、汚物に触れることなく汚物を収納することができる。【選択図】図４
0003159279.tif 000002
【実用新案登録請求の範囲】
【請求項１】
柔軟性不透水シート材からなる長方形の底面部と、該底面部の幅と同一の幅を有する長方形の第１，第２の蓋部であって当該２つの蓋部のそれぞれの長さが前記底面部の長さの約半分以上の値に選ばれ且つ当該２つの蓋部の長さの合計値が前記底面部の長さより大きい値となるように選ばれている第１，第２の蓋部とによって構成される汚物収納袋であって、
前記第１の蓋部，前記底面部，前記第２の蓋部の３枚の前記柔軟性不透水シート材は、この順序で、その長さ方向に沿って順次連続して形成されており、
前記第１の蓋部の全面が前記底面部の上に重なり合うように折り畳まれ、前記第２の蓋部の全面が前記底面部と前記第１の蓋部の上に重なり合うように折り畳まれた状態で、前記底面部の幅方向の両端に位置する両側辺部が、該両側辺部上に位置する前記第１，第２の蓋部の両側辺部に接合されることによって形成されていることを特徴とする汚物収納袋。
【請求項２】
前記柔軟性不透水シート材からなる長方形の底面部の周囲寸法は、開かれた状態の成人の手の平を包摂可能な周囲寸法に選ばれていることを特徴とする請求項１に記載の汚物収納袋。
【請求項３】
柔軟性不透水シート材からなる長方形の底面部と、該底面部の幅と同一の幅を有する長方形の第１，第２の蓋部であって当該２つの蓋部のそれぞれの長さが前記底面部の長さの約半分以上の値に選ばれ且つ当該２つの蓋部の長さの合計値が前記底面部の長さより大きい値となるように選ばれている第１，第２の蓋部とによって構成される汚物収納袋であって、
前記第１の蓋部の全面が当該蓋部の一端側が全幅に亘って前記底面部の長さ方向の一端側に一致するように前記底面部の上に重ねられた状態で当該第１の蓋部の前記一端側が全幅に亘って対向している前記底面部の前記一端側に接合され、前記第２の蓋部の全面が当該蓋部の一端側が全幅に亘って前記底面部の長さ方向の他端側に一致するように前記底面部と前記第１の蓋部の上に重ねられた状態で当該第２の蓋部の前記一端側が全幅に亘って対向している前記底面部の前記他端側に接合され、前記底面部の幅方向の両端に位置する両側辺部が、該両側辺部上に位置する前記第１，第２の蓋部の両側辺部に接合されることによって形成されていることを特徴とする汚物収納袋。
【請求項４】
前記柔軟性不透水シート材からなる長方形の底面部の周囲寸法は、開かれた状態の成人の手の平を包摂可能な周囲寸法に選ばれていることを特徴とする請求項３に記載の汚物収納袋。
【考案の詳細な説明】
【技術分野】
【０００１】
本考案は、赤ん坊の使用済おむつ等の汚物を、運搬したり廃棄したりする過程において外部に露出させないように収納する汚物収納袋に関するものである。
【背景技術】
【０００２】
汚物を外部に露出させないような汚物収納袋として、本願出願人は以下のような汚物収納袋を既に提案している（実用新案登録第３１３３３０８号）。
【０００３】
この汚物収納袋は、図８に示したように構成されている。
【０００４】
すなわち、この汚物収納袋１０は、第１の柔軟性不透水シート材（以下、単に「シート材」という）１，第２のシート材２，第３のシート材３という３枚のシート材によって構成されている。３枚のシート材１，２，３は、同一の幅を有しており、また略同じ長さを有している。
【０００５】
３枚のシート材１，２，３は、それぞれの幅方向の両端に位置する側辺部が、互いに一致するように重ねられた状態で接合されており、この３枚のシート材が接合された側辺部が、汚物収納袋１０の側辺部１０ｂとその反対側の側辺部１０ａ（図示せず）とを形成している。
【０００６】
また、シート材２の長さ方向の一端側２ａが、これと対向しているシート材１と幅方向に沿って全辺に亘って接合されている。このようにして、第１のシート材１と第２のシート材２によって第１の袋体１１が構成されている。
【０００７】
さらに、シート材２の長さ方向の他端側２ｂが、これと対向しているシート材３と幅方向に沿って全辺に亘って接合されている。このようにして、第２のシート材２と第３のシート材３によって第２の袋体１２が構成されている。
【０００８】
次に、以上のように構成された汚物収納袋の使用方法を説明する。
【０００９】
先ず、使用者は、一方の手Ｈ１を下方から第１の袋体１１内に差し入れる。この状態で、使用者は、汚物である折り畳んだ使用済のおむつ９を他方の手で掴んで上方から第２の袋体１２内に収納する。
【００１０】
この状態で、使用者は、一方の手Ｈ１で、収納されているおむつ９をシート材２と共に掴んで図９（ａ）に示した状態にする。
【００１１】
ここで、使用者は、図９（ａ）に示したように、他方の手Ｈ２でシート材１の下端側を
掴んで、図９（ｂ）に示したように、シート材１を裏返すようにしてシート材１の下端側
を上方に引っ張る。
【００１２】
手Ｈ２でシート材１の下端側を上方に引っ張るのに連動して、図１０（ａ）に示したように、おむつ９及びシート材２を掴んだ手Ｈ１を使用者が下方に移動させることにより、図１０（ｂ）に示したような状態となって、本実施例１に係る汚物収納袋１０による使用済のおむつ９の収納は完了する。
【００１３】
図１１は、図１０（ｂ）で示した収納完了状態における汚物収納袋１０の縦断面図である。
【００１４】
図１１に示したように、汚物の収納完了状態においては、シート材１とシート材２によって形成される袋体の内部に、おむつ９を収納した第２の袋体１２が開口部を下方に位置させた状態で配設されることになるので、収納されている使用済のおむつ９が汚物収納袋１０の外部に出るようなことはない。
【００１５】
また、この状態において、本実施例１に係る汚物収納袋１０は、閉塞状態になっていな
いので、外部の力により圧迫されたとしても、汚物収納袋１０が破裂するようなことはな
く、従って収納されている使用済のおむつ９が外部に露出するようなこともない。
【先行技術文献】
【特許文献】
【００１６】
【特許文献１】実用新案登録第３１３３３０８号公報
【考案の概要】
【考案が解決しようとする課題】
【００１７】
以上説明した従来の汚物収納袋によれば、使用済のおむつ等の汚物を外部に露出させることなく衛生的に運搬や廃棄をすることが出来る。
【００１８】
しかしながら、このような従来の汚物収納袋においては、初めに汚物を汚物収納袋に入れる過程において、使用者は自らの手で直接汚物を掴んで、その汚物を汚物収納袋に入れなければならないため、汚物を直接掴む手の方が汚れてしまうことがあるという問題があった。
【課題を解決するための手段】
【００１９】
以上の問題を解決するために本考案の第１の手段は、柔軟性不透水シート材からなる長方形の底面部と、該底面部の幅と同一の幅を有する長方形の第１，第２の蓋部であって当該２つの蓋部のそれぞれの長さが前記底面部の長さの約半分以上の値に選ばれ且つ当該２つの蓋部の長さの合計値が前記底面部の長さより大きい値となるように選ばれている第１，第２の蓋部とによって構成される汚物収納袋であって、前記第１の蓋部，前記底面部，前記第２の蓋部の３枚の前記柔軟性不透水シート材は、この順序で、その長さ方向に沿って順次連続して形成されており、前記第１の蓋部の全面が前記底面部の上に重なり合うように折り畳まれ、前記第２の蓋部の全面が前記底面部と前記第１の蓋部の上に重なり合うように折り畳まれた状態で、前記底面部の幅方向の両端に位置する両側辺部が、該両側辺部上に位置する前記第１，第２の蓋部の両側辺部に接合されることによって形成されていることを特徴とするものである。
【００２０】
また、以上の問題を解決するために本考案の第２の手段は、柔軟性不透水シート材からなる長方形の底面部と、該底面部の幅と同一の幅を有する長方形の第１，第２の蓋部であって当該２つの蓋部のそれぞれの長さが前記底面部の長さの約半分以上の値に選ばれ且つ当該２つの蓋部の長さの合計値が前記底面部の長さより大きい値となるように選ばれている第１，第２の蓋部とによって構成される汚物収納袋であって、前記第１の蓋部の全面が当該蓋部の一端側が全幅に亘って前記底面部の長さ方向の一端側に一致するように前記底面部の上に重ねられた状態で当該第１の蓋部の前記一端側が全幅に亘って対向している前記底面部の前記一端側に接合され、前記第２の蓋部の全面が当該蓋部の一端側が全幅に亘って前記底面部の長さ方向の他端側に一致するように前記底面部と前記第１の蓋部の上に重ねられた状態で当該第２の蓋部の前記一端側が全幅に亘って対向している前記底面部の前記他端側に接合され、前記底面部の幅方向の両端に位置する両側辺部が、該両側辺部上に位置する前記第１，第２の蓋部の両側辺部に接合されることによって形成されていることを特徴とするものである。
【００２１】
さらに、以上の手段において、前記柔軟性不透水シート材からなる長方形の底面部の周囲寸法は、開かれた状態の成人の手の平を包摂可能な周囲寸法に選ばれていてもよい。
【考案の効果】
【００２２】
本考案によれば、汚物に直接手を触れずに収納することができ、収納後の汚物を外部に露出させずに衛生的に運搬して廃棄することができる汚物収納袋を提供することができる。
【図面の簡単な説明】
【００２３】
【図１】本考案の実施例１の平面図とその断面図である。
【図２】本考案の実施例１の斜視図とその断面図である。
【図３】本考案の実施例１の使用方法の説明図である。
【図４】本考案の実施例１の使用方法の説明図である。
【図５】本考案の実施例１の使用方法の説明図である。
【図６】本考案の実施例１の使用方法の説明図である。
【図７】本考案の実施例１の使用方法の説明図である。
【図８】従来の汚物収納袋の構成図である。
【図９】従来の汚物収納袋の使用方法の説明図である。
【図１０】従来の汚物収納袋の使用方法の説明図である。
【図１１】従来の汚物収納袋の使用方法の説明図である。
【考案を実施するための形態】
【００２４】
以下、図面を用いて本考案の実施例を説明する。
【実施例１】
【００２５】
図１は、本考案の実施例１の平面構成を示す平面図とそのＡ−Ａ断面図であり、図２は図１に示した実施例１の斜視図とそのＢ−Ｂ断面図である。図１および図２において、Ｘは長さ方向を示しており、Ｙは幅方向をそれぞれ示している。
【００２６】
図１，図２に示したように、本実施例１に係る汚物収納袋１０は、柔軟性不透水シート材からなる長方形の底面部２０と、この底面部２０の幅と同一の幅で底面部２０の長さの半分の長さより長い長さを有する柔軟性不透水シート材からなる２枚の蓋部３０，４０とによって構成されている。
【００２７】
蓋部３０は、その長さ方向Ｘの一端側が全幅（Ｙ方向）に亘って底面部２０の長さ方向Ｘの一端側２０ａに一致するように底面部２０に重ねられた状態で、重なり合っている底面部２０の周辺部分（一端側２０ａと両側辺部２１）に連続的に接合されている。また、この蓋部３０の底面部２０内に位置している辺部は、底面部２０と接合されておらず開放状態になっている。この開放状態となっている辺部については厳密に直線状である必要はなく、例えば多少湾曲している曲線状であってもよい。
【００２８】
蓋部４０は、その長さ方向Ｘの一端側が全幅（Ｙ方向）に亘って底面部２０の長さ方向Ｘの他端側２０ｂに一致するように底面部２０に重ねられた状態で、重なり合っている底面部２０の周辺部分（他端側２０ｂと両側辺部２１）に連続的に接合されている。また、この蓋部４０の底面部２０内に位置している辺部は、底面部２０と接合されておらず、底面部２０上の蓋部３０上に重なった状態で開放された状態となっている。この開放状態となっている辺部については厳密に直線状である必要はなく、例えば多少湾曲している曲線状であってもよい。
【００２９】
ここで、本実施例１においては、長方形の底面部２０の周囲寸法は、開かれた状態の成人の手の平を包摂可能な周囲寸法に選ばれている。
【００３０】
以上のように構成されている本実施例１に係る汚物収納袋１０は、以下のようにして簡単に製造することができる。
【００３１】
即ち、蓋部３０と底面部２０と蓋部４０とをこの順序で、底面部２０と同一幅を有する帯状の柔軟性不透水シート材上に長さ方向に沿って順次連続して形成し、蓋部３０の全面が底面部２０に重なり合うように折り畳み、次に、蓋部４０の全面が底面部２０と重なり合うように折り畳んで、底面部２０の両側辺部２１とこの両側辺部２１上に位置する蓋部３０，４０の辺部とを熱シール処理して接合することによって本実施例１は簡単に製造することができる。
【００３２】
次に、図３（ａ）に示したような赤ん坊６０の使用済のおむつ５０等の汚物を、本実施例１に係る汚物収納袋１０に収納する方法を説明する。なお、以下の説明においては、使用済のおむつ５０や使用済のティッシュペーパー等の汚物５１は、図３（ｂ）に示したように、予め廃棄可能な状態となっているものとする。
【００３３】
図４（ａ）に示したように、使用者は先ず片方の手Ｈ１の手の平を開いた状態にして、その手の平の親指以外の４本の指を底面部２０と蓋部４０との間に指し込む。このようにして、４本の指を指し込んだ後、図４（ｂ）に示したように親指を蓋部３０と底面部２０との間に指し入れる。図４（ｃ）は図４（ｂ）のＣ−Ｃ断面図である。
【００３４】
使用者は、図４（ｂ）に示したような開かれた手の平で、底面部２０を介して図５に示すように廃棄可能な状態となっている汚物５１を掴む。
【００３５】
次に使用者は、図６（ａ）に示したように他方の手Ｈ２で、蓋部４０の開放されている辺部を摘んで、蓋部４０が裏返るように引っ張る（図６（ｂ）参照）。
【００３６】
その後、使用者は、他方の手Ｈ２で、蓋部３０の開放されている辺部を摘んで、蓋部３０が裏返るように引っ張る。
【００３７】
以上のような操作をした後に、使用者が汚物５１を掴っている手Ｈ１の手の平を開けば、汚物５１は図７（ａ）に示したように汚物収納袋１０に収納された状態になる。図７（ｂ）は、図７（ａ）のＤ−Ｄ断面図である。
【００３８】
このように、本実施例１によれば、廃棄可能な状態となっている汚物５１を汚物収納袋１０に収納する一連の操作において、使用者は汚物５１に直接触れることなく汚物収納袋１０に汚物５１を収納することができる。
【００３９】
図７（ａ），（ｂ）に示したように汚物５１が収納された本実施例１に係る汚物収納袋１０を用いれば、汚物５１を運搬したり廃棄したりする際に、汚物５１が外部に露出することがないので衛生的に汚物５１を処理することができる。
【００４０】
以上説明した本実施例１においては、蓋部３０と蓋部４０とが重なり合っている部分が底面部２０の略中央部に位置していれば、本考案の効果を得ることができる。換言すれば、蓋部３０と蓋部４０のそれぞれの長さが底面部２０の長さの約半分以上の長さを有しており、且つ両者の長さの合計値が底面部２０の長さより長くなるように両者の長さが選ばれていれば、本考案の効果は得ることができる。
【符号の説明】
【００４１】
１０  汚物収納袋
２０  底面部
２０ａ，２０ｂ  端側
２１  側辺部
３０，４０  蓋部
５０  おむつ
５１  汚物
６０  赤ん坊
Ｈ１，Ｈ２  手
Ｘ  長さ方向
Ｙ  幅方向
【図１】
0003159279.tif 000003
【図２】
0003159279.tif 000004
【図３】
0003159279.tif 000005
【図４】
0003159279.tif 000006
【図５】
0003159279.tif 000007
【図６】
0003159279.tif 000008
【図７】
0003159279.tif 000009
【図８】
0003159279.tif 000010
【図９】
0003159279.tif 000011
【図１０】
0003159279.tif 000012
【図１１】
0003159279.tif 000013